【事件の表示】
　特願２０００−　２６０３１「カラー液晶表示装置用感放射線性組成物およびカラー液晶表示装置用着色層の形成方法」拒絶査定不服審判事件〔平成１３年　８月１０日出願公開、特開２００１−２１５３２４〕について、次のとおり審決する。
【結　論】
　本件審判の請求は、成り立たない。
【理　由】
１．手続の経緯及び本願発明
　本願は、平成１２年２月３日の出願であって、平成１７年１月１２日付けで拒絶査定がなされ、これに対して平成１７年３月９日に審判請求がなされたものである。
　そして、その特許請求の範囲の請求項１乃至４に係る発明は、平成１６年１２月１７日付けの手続補正書により補正された明細書の記載からみて、その請求項１乃至４に記載された事項により特定されるとおりのものと認められるところ、その請求項１に記載された発明（以下、「本願発明」という。）は次のとおりのものである。
　「（Ａ）着色剤、（Ｂ）アルカリ可溶性樹脂、（Ｃ）多官能性単量体および（Ｄ）光重合開始剤を含有する感放射線性組成物であって、（Ｃ）多官能性単量体の一部または全部がカルボキシル基含有多官能性単量体からなり、着色層形成時に薄膜トランジスター（ＴＦＴ）方式カラー液晶表示装置の駆動用基板上に、５μｍ以下の導通路を有する着色層を、紫外線を使用するリソグラフィー法により形成するために用いられるカラー液晶表示装置用感放射線性組成物。」
　
２．引用例
　これに対して、原査定の拒絶理由に引用された特開平１０−３３２９２９号公報（以下、「引用例１」という。）、及び同じく特開平９−７３０７８号公報（以下、「引用例２」という。）にはそれぞれ、以下の事項が記載されている。
　
（１）引用例１；
　カラーフィルタ用感放射線性組成物に関するもので、
ア．【特許請求の範囲】の【請求項１】
「（Ａ）着色剤、（Ｂ）バインダーポリマー、（Ｃ）カルボキシル基含有多官能性モノマーおよび（Ｄ）光重合開始剤を含有することを特徴とするカラーフィルタ用感放射線性組成物。」
　
イ．【０００１】欄
「【発明の属する技術分野】本発明は、カラー液晶表示装置、カラー撮像管素子等に用いられるカラーフィルタの製造に使用されるカラーフィルタ用感放射線性組成物に関する。」
　
ウ．【０００３】欄
「【発明が解決しようとする課題】本発明は、以上のような事情に鑑みてなされたものであり、その課題は、微細な画素アレイを形成する場合であっても、放射線非照射部に組成物の未溶解物（残渣）が残存したり、画素上にスカムが発生することがなく、しかも高精度でかつ基板との密着強度に優れた画素アレイを高い歩留りで形成することができるカラーフィルタ用感放射線性組成物を提供することにある。」
　
エ．【０００７】欄
「（Ｂ）バインダーポリマー
　本発明におけるバインダーポリマーとしては、着色剤に対してバインダーとして作用し、かつカラーフィルタ製造時の現像処理工程において用いられるアルカリ現像液に可溶性である限り、適宜のポリマーを使用することができる。」
　
オ．【００２０】欄
「また、本発明においては、所期の効果が損なわれない限り、前記カルボキシル基含有多官能性モノマーの一部を、他の多官能性モノマーおよび／または重合可能なエチレン性不飽和結合を１個有する単官能性モノマーに置き換えることもできる。」
　
カ．【００４２】欄
「
カラーフィルタの形成方法
　まず、透明基板の表面上の画素を形成する部分を区画するように遮光層を形成し、この基板上に、例えば赤色の顔料が分散された感放射線性組成物の液状組成物を塗布したのち、プリベークを行って溶剤を蒸発させ、塗膜を形成する。次いで、この塗膜にフォトマスクを介して放射線を照射したのち、アルカリ現像液を用いて現像処理を行い、塗膜の放射線非照射部を溶解除去することによって、赤色の画素が所定のパターンで配置された画素アレイを形成する。
　その後、緑色または青色の顔料が分散された各感放射線性組成物の液状組成物を用い、前記と同様にして、各液状組成物の塗布、プリベーク、放射線照射および現像処理を行って、緑色の画素アレイおよび青色の画素アレイを同一基板上に順次形成することにより、赤色、緑色および青色の三原色の画素アレイが基板上に配置されたカラーフィルタを得る。
　・・・・・・・・・・
  ・・・・・・・・・・
　カラーフィルタを形成する際に使用される放射線としては、例えば、可視光線、紫外線、遠紫外線、電子線、Ｘ線等を使用することができるが、波長が１９０〜４５０ｎｍの範囲にある放射線が好ましい。」
　
　したがって、上記ア．〜カ．の記載事項によると、引用例１には、「（Ａ）着色剤、（Ｂ）アルカリ可溶性バインダーポリマー、（Ｃ）多官能性モノマーおよび（Ｄ）光重合開始剤を含有する感放射線性組成物であって、（Ｃ）多官能性モノマーの一部または全部がカルボキシル基含有多官能性モノマーからなり、カラー液晶表示装置の基板上に、着色層を紫外線を使用するリソグラフィー法により形成するために用いられる、カラー液晶表示装置のカラーフィルタ用感放射線性組成物。」の発明（以下、「引用発明」という。）が記載されているといえる。
　
（２）引用例２；
　液晶表示装置に関するもので、
ア．【特許請求の範囲】の【請求項１】
「第１透明基板上に形成されたスイッチング素子、このスイッチング素子を覆うように前記第１透明基板上に形成されたカラーフィルタ、およびこのカラーフィルタ上に形成された画素電極を有するアレイ基板と、
　前記画素電極に対向するように第２透明基板上に形成された対向電極を有する対向基板と、
　前記アレイ基板と、前記対向基板との間隙に封入された液晶層と、
　を備え、前記スイッチング素子と前記画素電極は前記カラーフィルタに形成されたスルーホール内に、光ＣＶＤ法を用いて堆積される金属膜によって電気的に接続されることを特徴とする液晶表示装置。」
　
イ．【発明の実施の形態】の項中、【００１８】欄、【００１９】欄
「続いて公知の技術を用いて赤（Ｒ）、緑（Ｇ）、青（Ｂ）の３色の着色セルを配列してなるカラーフィルタ９を形成する（図１参照）。なおこのカラーフィルタ９は走査線３、ＴＦＴ素子７、および信号線８を隙間なく覆うように形成する。
　次にＴＦＴ素子７とのコンタクトを取るためのスルーホール１０をフォトリソグラフィ技術により形成する。このスルーホール１０の形成はまずカラーフィルタ９が形成された基板の全面にスピンコータを用いてフォトレジストを塗布する。そしてこのフォトレジストをパターニングすることによってフォトレジストのマスク（図示せず）を形成し、ドライエッチング（例えばＲＩＥ（Ｒｅａｃｔｉｖｅ　Ｉｏｎ　Ｅｔｃｈｉｎｇ）または光励起エッチング）を用いることによってカラーフィルタ９内に例えば直径が３μｍのスルーホール１０を形成する。」
　
３．対比
　本願発明と引用発明とを対比する。
（１）引用発明の対象である「カラー液晶表示装置のカラーフィルタ用感放射線性組成物」は、本願発明の対象である「カラー液晶表示装置用感放射線性組成物」の概念に包含されることは、明らかである。
（２）引用発明の「（Ｂ）アルカリ可溶性バインダーポリマー」は、本願発明の「（Ｂ）アルカリ可溶性樹脂」に相当する。
（３）引用発明の「多官能性モノマー」は、本願発明の「多官能性単量体」に相当する。
（４）引用発明の「カラー液晶表示装置の基板上」と本願発明の「着色層形成時に薄膜トランジスター（ＴＦＴ）方式カラー液晶表示装置の駆動用基板上」とは、カラー液晶表示装置の基板上という点で一致する。
　
　よって、上記（１）〜（４）のことから、両者は、「（Ａ）着色剤、（Ｂ）アルカリ可溶性樹脂、（Ｃ）多官能性単量体および（Ｄ）光重合開始剤を含有する感放射線性組成物であって、（Ｃ）多官能性単量体の一部または全部がカルボキシル基含有多官能性単量体からなり、カラー液晶表示装置の基板上に、着色層を紫外線を使用するリソグラフィー法により形成するために用いられるカラー液晶表示装置用感放射線性組成物。」である点で一致し、以下の点で相違する。
　
［相違点］
　紫外線を使用するリソグラフィー法により形成されるカラー液晶表示装置の基板上の着色層が、本願発明は、着色層形成時に薄膜トランジスター（ＴＦＴ）方式カラー液晶表示装置の駆動用基板上に、５μｍ以下の導通路を有する着色層であるのに対して、引用発明は、そのような着色層とは限定されていない点、で相違する。
　
４．当審の判断
　上記相違点について検討する。
　本願発明はカラー液晶表示装置用感放射線性組成物の発明であり、上記「３．対比」の項で述べたように、「（Ａ）着色剤、（Ｂ）アルカリ可溶性樹脂、（Ｃ）多官能性単量体および（Ｄ）光重合開始剤を含有する感放射線性組成物であって、（Ｃ）多官能性単量体の一部または全部がカルボキシル基含有多官能性単量体からなり、着色層を紫外線を使用するリソグラフィー法により形成するために用いられる該感放射線性組成物」である点で、引用発明の感放射線性組成物と何等相違するものではない。
　
　そして、紫外線を使用するリソグラフィー法により形成されるカラー液晶表示装置の基板上の着色層が、本願発明は、着色層形成時に薄膜トランジスター（ＴＦＴ）方式カラー液晶表示装置の駆動用基板上に、５μｍ以下の導通路を有する着色層であるとしているので、この点について検討する。
　カラー液晶表示装置用感放射線性組成物を、着色層形成時にＴＦＴ方式カラー液晶表示装置の駆動用基板上に、導通路を有する着色層をリソグラフィー法により形成することは、周知技術である〔例えば、特開平６−３０１０５７号公報（第１欄第３１〜３３行、第３欄第１９〜２７行）参照。〕。
　してみると、上記周知技術を基に、引用発明の感放射線性組成物を、着色層形成時に薄膜トランジスター（ＴＦＴ）方式カラー液晶表示装置の駆動用基板上に、導通路を有する着色層をリソグラフィー法により形成するために用いることは、当業者にとって格別の困難性はない。
　しかも、引用例２には、駆動用基板上に形成された着色層に、フォトリソグラフィー法により３μｍのスルーホールを形成すること、すなわち本願発明の５μｍ以下の導通路を形成することが記載されており（記載事項イ．）、また、引用発明の感放射線性組成物は、「微細な画素アレイを形成する場合であっても、放射線非照射部に組成物の未溶解物（残渣）が残存したり、画素上にスカムが発生することがなく、しかも高精度でかつ基板との密着強度に優れた画素アレイを高い歩留りで形成することができる」（引用例１の「ウ．」の記載事項）ものであるから、引用発明の感放射線性組成物を、５μｍ以下の導通路を有する着色層の形成に用いることにも、格別の困難性はない。
　
　そして、本願発明の作用・効果も、引用例１、２の記載及び上記周知技術から予測される範囲内のもので、格別のものではない。
　
５．むすび
　以上のとおり、本願発明は、引用例１に記載された発明と引用例２に記載された発明及び上記周知技術とに基づいて当業者が容易に発明をすることができたものであるから、特許法第２９条第２項の規定により特許を受けることができない。
　よって、結論のとおり審決する。